(57)【要約】【課題】下り専用の時分割複信方式のキャリアを用いたキャリアアグリゲーションをサポートする移動通信システムにおいて、ユーザ装置を下り専用の時分割複信方式のセルに在圏させることを回避する。【解決手段】下り専用の時分割複信方式のキャリアを用いたキャリアアグリゲーションをサポートする移動通信システムにおいて基地局とユーザ装置により実行される通信方法でにおいて、前記基地局が、下り専用の時分割複信方式のセルにおいて、所定の情報を含むシステム情報を報知するシステム情報送信ステップと、前記システム情報を受信した前記ユーザ装置が、前記所定の情報に基づいて、前記セルの周波数と異なる周波数のセルの選択を試みるセル選択制御ステップとを備える。【選択図】図７
2015216471.tif 000002
【特許請求の範囲】
【請求項１】
下り専用の時分割複信方式のキャリアを用いたキャリアアグリゲーションをサポートする移動通信システムにおいて基地局とユーザ装置により実行される通信方法であって、
前記基地局が、下り専用の時分割複信方式のセルにおいて、所定の情報を含むシステム情報を報知するシステム情報送信ステップと、
前記システム情報を受信した前記ユーザ装置が、前記所定の情報に基づいて、前記セルの周波数と異なる周波数のセルの選択を試みるセル選択制御ステップと
を備えることを特徴とする通信方法。
【請求項２】
前記システム情報は、ＭＩＢであり、前記所定の情報は、前記下り専用の時分割複信方式のセルへの在圏が禁止されていることを示す情報である
ことを特徴とする請求項１に記載の通信方法。
【請求項３】
前記システム情報は、ＭＩＢであり、前記所定の情報は、当該ＭＩＢが送信されるセルが、前記下り専用の時分割複信方式のセルであることを示す情報である
ことを特徴とする請求項１に記載の通信方法。
【請求項４】
下り専用の時分割複信方式のキャリアを用いたキャリアアグリゲーションをサポートする移動通信システムにおいて基地局とユーザ装置により実行される通信方法であって、
前記基地局が、下り専用の時分割複信方式のセルにおいて、当該下り専用の時分割複信方式以外の複信方式のセルで報知する所定のシステム情報を報知しないシステム情報送信制御ステップと、
前記下り専用の時分割複信方式のセルにおいてＭＩＢを受信した前記ユーザ装置が、前記所定のシステム情報を受信しないことに基づいて、前記下り専用の時分割複信方式のセルの周波数と異なる周波数のセルの選択を試みるセル選択制御ステップと
を備えることを特徴とする通信方法。
【請求項５】
前記所定のシステム情報は、ＳＩＢ１であることを特徴とする請求項４に記載の通信方法。
【請求項６】
下り専用の時分割複信方式のキャリアを用いたキャリアアグリゲーションをサポートする移動通信システムにおいて基地局とユーザ装置により実行される通信方法であって、
前記基地局が、前記ユーザ装置の在圏するセルにおいて、所定の情報を含むシステム情報を報知するシステム情報送信ステップと、
前記システム情報を受信した前記ユーザ装置が、前記セルの周波数と異なる周波数の周辺セルの選択を行う場合において、前記所定の情報に含まれる周波数の周辺セルを選択の対象としないセル選択制御ステップと
を備えることを特徴とする通信方法。
【請求項７】
前記システム情報は、ＳＩＢ５であり、前記所定の情報は、前記ユーザ装置の在圏するセルの周波数と異なる周波数のブラックリストである
ことを特徴とする請求項６に記載の通信方法。
【請求項８】
下り専用の時分割複信方式のキャリアを用いたキャリアアグリゲーションをサポートする移動通信システムにおいて使用される基地局とユーザ装置とを備える通信システムであって、
前記基地局は、下り専用の時分割複信方式のセルにおいて、所定の情報を含むシステム情報を報知するシステム情報送信手段を備え、
前記ユーザ装置は、前記システム情報を受信し、前記所定の情報に基づいて、前記セルの周波数と異なる周波数のセルの選択を試みるセル選択制御手段を備える
ことを特徴とする通信システム。
【請求項９】
下り専用の時分割複信方式のキャリアを用いたキャリアアグリゲーションをサポートする移動通信システムにおいて使用される基地局とユーザ装置とを備える通信システムであって、
前記基地局は、下り専用の時分割複信方式のセルにおいて、当該下り専用の時分割複信方式以外の複信方式のセルで報知する所定のシステム情報を報知しないように制御を行うシステム情報送信制御手段を備え、
前記ユーザ装置は、前記下り専用の時分割複信方式のセルにおいてＭＩＢを受信した後に、前記所定のシステム情報を受信しないことに基づいて、前記下り専用の時分割複信方式のセルの周波数と異なる周波数のセルの選択を試みるセル選択制御手段を備える
ことを特徴とする通信システム。
【請求項１０】
下り専用の時分割複信方式のキャリアを用いたキャリアアグリゲーションをサポートする移動通信システムにおいて使用される基地局とユーザ装置とを備える通信システムであって、
前記基地局は、前記ユーザ装置の在圏するセルにおいて、所定の情報を含むシステム情報を報知するシステム情報送信手段を備え、
前記ユーザ装置は、前記システム情報を受信し、前記セルの周波数と異なる周波数の周辺セルの選択を行う場合において、前記所定の情報に含まれる周波数の周辺セルを選択の対象としないセル選択制御手段を備える
ことを特徴とする通信システム。
【発明の詳細な説明】
【技術分野】
【０００１】
本発明は、移動通信システムに関連するものであり、特に、ユーザ装置ＵＥのセル選択（ｃｅｌｌ  ｓｅｌｅｃｔｉｏｎ／ｃｅｌｌ  ｒｅｓｅｌｅｃｔｉｏｎ）に関連するものである。
【背景技術】
【０００２】
ＬＴＥ−Ａｄｖａｎｃｅｄでは、ＬＴＥとのバックワードコンパチビリティを保ちつつ、ＬＴＥを上回るスループットを実現するために、ＬＴＥでサポートされている帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている（例えば非特許文献１参照）。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートするＬＴＥ方式におけるセルと同様のセルである。
【０００４】
ＳＣｅｌｌは、ＰＣｅｌｌに追加されてユーザ装置ＵＥに対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、ＭＡＣ（Ｍｅｄｉａ  Ａｃｃｅｓｓ  Ｃｏｎｔｒｏｌ）レイヤにおいてアクティブ化することで初めて通信可能（スケジューリング可能）となるセルである。なお、ＰＣｅｌｌに対応するＣＣをＰＣＣ（Ｐｒｉｍａｒｙ  Ｃｏｍｐｏｎｅｎｔ  Ｃａｒｒｉｅｒ）と呼び、ＳＣｅｌｌに対応するＣＣをＳＣＣ（Ｓｅｃｏｎｄａｒｙ  Ｃｏｍｐｏｎｅｎｔ  Ｃａｒｒｉｅｒ）と呼ぶ。
【０００５】
また、ＬＴＥでは、周波数分割複信（Ｆｒｅｑｕｅｎｃｙ  Ｄｉｖｉｓｉｏｎ  Ｄｕｐｌｅｘ：ＦＤＤ）方式と時分割複信（Ｔｉｍｅ  Ｄｉｖｉｓｉｏｎ  Ｄｕｐｌｅｘ：ＴＤＤ）方式との２つの複信方式（Ｄｕｐｌｅｘモード）が規定されている。ＦＤＤ方式では、アップリンク通信とダウンリンク通信とが互いに異なる周波数帯で実行され、ＴＤＤ方式では、アップリンク通信とダウンリンク通信とが同一の周波数帯を利用し、アップリンク通信とダウンリンク通信とが時間で分離される。また、それぞれのＤｕｐｌｅｘモード間は、異周波（Ｉｎｔｅｒ−ｆｒｅｑｕｅｎｃｙ）ハンドオーバで切り替えることができる。
【先行技術文献】
【非特許文献】
【０００６】
【非特許文献１】３ＧＰＰ  ＴＳ  ３６．３００  Ｖ１２．１．０  （２０１４−０３）
【発明の概要】
【発明が解決しようとする課題】
【０００７】
上記背景技術で説明したＣＡ及びＤｕｐｌｅｘモードに関し、ＬＴＥのＲｅｌ．１０−１１ではＣＡを構成する複数ＣＣは同一Ｄｕｐｌｅｘモードに限られていた。すなわち、例えば、図１に示すような、ＣＡの一形態において、（ａ）のように、複数のＣＣ（ＰＣｅｌｌ、ＳＣｅｌ）がいずれもＦＤＤであるか、（ｂ）に示すように、複数のＣＣがいずれもＴＤＤである形態に限られていた。
【０００８】
一方、Ｒｅｌ−１２においてはＣＡを拡張し、異なるＤｕｐｌｅｘモードのＣＣを用いてＣＡを行うことが検討されている。図２には、異なるＤｕｐｌｅｘモードのＣＣを用いたＣＡの一例として、ＰＣｅｌｌ（ＰＣＣ）にＦＤＤを用い、ＳＣｅｌｌ（ＳＣＣ）にＴＤＤを用いる形態が示されている。以降、異なるＤｕｐｌｅｘモードのＣＣを用いたＣＡをＦＤＤ−ＴＤＤ  ＣＡと記述する。
【０００９】
図２に示すようなＦＤＤ−ＴＤＤ  ＣＡにおいて、例えば図３に示すような周波数帯（２ＧＨｚ：ＦＤＤ、３．５ＧＨｚ：ＴＤＤ）が用いられる。また、ＴＤＤではＵＬ／ＤＬについての種々のｃｏｎｆｉｇｕｒａｔｉｏｎが規定されているが、ＦＤＤ−ＴＤＤ  ＣＡにおいては、図４（ａ）、（ｂ）に示すように、ｃｏｎｆｉｇｕｒａｔｉｏｎ＃５を用いた形態が検討されている。
【００１０】
更に、ＦＤＤ−ＴＤＤ  ＣＡにおいて、ＴＤＤ  ＤＬ  ｏｎｌｙ（ＤＬ専用の時分割複信方式）のｃｏｎｆｉｇｕｒａｔｉｏｎを利用することも議論されている。ＴＤＤ  ＤＬ  ｏｎｌｙ  ｃｏｎｆｉｇｕｒａｔｉｏｎとは、ＴＤＤの周波数帯で全ｓｕｂｆｒａｍｅをＤＬ通信のために設定するものである。このようなＴＤＤの周波数もしくはセルのことを「ＴＤＤ  ＤＬ  ｏｎｌｙ」と記述する。図５に、「ＴＤＤ  ＤＬ  ｏｎｌｙ」をＳＣＣとしたＦＤＤ−ＴＤＤ  ＣＡの構成を示す。このような構成を採用する目的は、ＳＣＣでＤＬ  ｒｅｓｏｕｒｃｅを最大限に確保し、Ｔｈｒｏｕｇｈｐｕｔを向上させることである。
【００１１】
しかし、「ＴＤＤ  ＤＬ  ｏｎｌｙ」の周波数帯（バンド）は、ＤＬ専用の周波数帯となるため、ユーザ装置ＵＥが「ＴＤＤ  ＤＬ  ｏｎｌｙ」のセルにｃａｍｐ（在圏）したとしても、上り通信ができないため、正常に通信を行うことができない。
【００１２】
本発明は上記の点に鑑みてなされたものであり、下り専用の時分割複信方式のキャリアを用いたキャリアアグリゲーションをサポートする移動通信システムにおいて、ユーザ装置を下り専用の時分割複信方式のセルに在圏させることを回避するための技術を提供することを目的とする。
【課題を解決するための手段】
【００１３】
本発明の実施の形態によれば、下り専用の時分割複信方式のキャリアを用いたキャリアアグリゲーションをサポートする移動通信システムにおいて基地局とユーザ装置により実行される通信方法であって、
前記基地局が、下り専用の時分割複信方式のセルにおいて、所定の情報を含むシステム情報を報知するシステム情報送信ステップと、
前記システム情報を受信した前記ユーザ装置が、前記所定の情報に基づいて、前記セルの周波数と異なる周波数のセルの選択を試みるセル選択制御ステップとを備える通信方法が提供される。
【００１４】
また、本発明の実施の形態によれば、下り専用の時分割複信方式のキャリアを用いたキャリアアグリゲーションをサポートする移動通信システムにおいて基地局とユーザ装置により実行される通信方法であって、
前記基地局が、下り専用の時分割複信方式のセルにおいて、当該下り専用の時分割複信方式以外の複信方式のセルで報知する所定のシステム情報を報知しないシステム情報送信制御ステップと、
前記下り専用の時分割複信方式のセルにおいてＭＩＢを受信した前記ユーザ装置が、前記所定のシステム情報を受信しないことに基づいて、前記下り専用の時分割複信方式のセルの周波数と異なる周波数のセルの選択を試みるセル選択制御ステップとを備える通信方法が提供される。
【００１５】
また、本発明の実施の形態によれば、下り専用の時分割複信方式のキャリアを用いたキャリアアグリゲーションをサポートする移動通信システムにおいて基地局とユーザ装置により実行される通信方法であって、
前記基地局が、前記ユーザ装置の在圏するセルにおいて、所定の情報を含むシステム情報を報知するシステム情報送信ステップと、
前記システム情報を受信した前記ユーザ装置が、前記セルの周波数と異なる周波数の周辺セルの選択を行う場合において、前記所定の情報に含まれる周波数の周辺セルを選択の対象としないセル選択制御ステップとを備える通信方法が提供される。
【発明の効果】
【００１６】
本発明の実施の形態によれば、下り専用の時分割複信方式のキャリアを用いたキャリアアグリゲーションをサポートする移動通信システムにおいて、ユーザ装置を下り専用の時分割複信方式のセルに在圏させることを回避することができる。
【図面の簡単な説明】
【００１７】
【図１】複数ＣＣで同一Ｄｕｐｌｅｘモードを使用するＣＡの例を示す図である。
【図２】複数ＣＣで異なるＤｕｐｌｅｘモードを使用するＣＡの例を示す図である。
【図３】ＦＤＤ−ＴＤＤ  ＣＡにおける周波数帯の例を示す図である。
【図４】ＳＣＣとＰＣＣにおけるＤｕｐｌｅｘモードの組み合わせの例を示す図である。
【図５】ＳＣＣとＰＣＣにおけるＤｕｐｌｅｘモードの組み合わせの例を示す図である。
【図６】本発明の実施の形態に係る通信システムの構成図である。
【図７】第１の実施の形態における処理の概念を説明するための図である。
【図８】第１の実施の形態における通信システムの動作例１を説明するためのシーケンス図である。
【図９】第１の実施の形態におけるＭＩＢの内容例を示す図である。
【図１０】第１の実施の形態における通信システムの動作例２を説明するためのシーケンス図である。
【図１１】第２の実施の形態における処理の概要を説明するための図である。
【図１２】第２の実施の形態における処理の概要を説明するための図である。
【図１３】第２の実施の形態における通信システムの動作例を説明するためのシーケンス図である。
【図１４】第２の実施の形態におけるＳＩＢ５のＩＥの例を示す図である。
【図１５】第２の実施の形態におけるＳＩＢ５のＩＥの例を説明するための図である。
【図１６】ユーザ装置ＵＥの構成図である。
【図１７】基地局ｅＮＢの構成図である。
【発明を実施するための形態】
【００１８】
以下、図面を参照して本発明の実施の形態を説明する。なお、以下で説明する実施の形態は一例に過ぎず、本発明が適用される実施の形態は、以下の実施の形態に限られるわけではない。また、本実施の形態では、ＬＴＥの移動通信システムを対象とするが、本発明はＬＴＥに限らず他の移動通信システムにも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。
【００１９】
また、本願では、特に断らない限り、「セル選択」をＬＴＥにおけるｃｅｌｌ  ｓｅｌｅｃｔｉｏｎとｃｅｌｌ  ｒｅｓｅｌｅｃｔｉｏｎの両方を含む意味で使用する。どちらもセルを選択するものだからである。
【００２０】
また、セルにｃａｍｐする（又はｃａｍｐ  ｏｎする）とは、ユーザ装置ＵＥがセル選択（ｃｅｌｌ  ｓｅｌｅｃｔｉｏｎ／ｒｅｓｅｌｅｃｔｉｏｎ）処理を完了し、ユーザ装置ＵＥがシステム情報とページング情報をモニタするセルを選択（決定）した状態になることである。「セルにｃａｍｐする」を、「セルに在圏する」と言い換えてもよい。
【００２１】
（システムの全体構成）
図６に、本発明の実施の形態（第１、第２の実施の形態に共通）における通信システムの構成図を示す。図６に示すように、本実施の形態における通信システムは、基地局ｅＮＢとユーザ装置ＵＥとを含むシステムである。図６では、基地局ｅＮＢとユーザ装置ＵＥはそれぞれ１つづつ示されているが、これは図示の便宜上のものであり、それぞれ複数存在してもよい。
【００２２】
また、図６の例では、基地局ｅＮＢ自身が無線部を有するとともに、基地局ｅＮＢから離れた場所にも無線部が設置される。当該無線部は基地局ｅＮＢの一部であり、基地局ｅＮＢと例えば光ファイバで接続される。このような遠隔の無線部をＲＲＨ（Ｒｅｍｏｔｅ  Ｒａｄｉｏ  Ｈｅａｄ）と呼んでもよい。本実施の形態では、基地局ｅＮＢがＰＣｅｌｌを形成し、基地局ｅＮＢによりＲＲＨがＳＣｅｌｌを形成することでＣＡが可能となっている。
【００２３】
例えば、図２に示した場合と同様に、基地局ｅＮＢがＦＤＤのＰＣｅｌｌを形成し、ＲＲＨが「ＴＤＤ  ＤＬ  ｏｎｌｙ」のＳＣｅｌｌを形成する。ただし、前述したように、ＲＲＣ  ＩＤＬＥ状態のユーザ装置ＵＥを「ＴＤＤ  ＤＬ  ｏｎｌｙ」のセル（ＣＡのＳＣｅｌｌとしてではないセル）に在圏させることを防ぐ必要があり、その手法に関して、以下、第１の実施の形態と第２の実施の形態を説明する。
【００２４】
（第１の実施の形態）
図７は、第１の実施の形態における処理の概念を説明するための図である。図７に示すように、第１の実施の形態では、ユーザ装置ＵＥが、「ＴＤＤ  ＤＬ  ｏｎｌｙ」のセルにおいて最も基本的なシステム情報（報知情報）であるＭＩＢ（Ｍａｓｔｅｒ  Ｉｎｆｏｒｍａｔｉｏｎ  Ｂｌｏｃｋ）を受信し、ＭＩＢの中の情報に基づいて、「ＴＤＤ  ＤＬ  ｏｎｌｙ」のセルにｃａｍｐしないようにする。
【００２５】
本実施の形態では、セルを形成する基地局ｅＮＢから送出されるＭＩＢの中に、ユーザ装置ＵＥが当該セルにアクセスできるかどうか（ｃａｍｐできるかどうか）を示す情報を含めることとしており、「ＴＤＤ  ＤＬ  ｏｎｌｙ」のセルを設定した基地局ｅＮＢが当該セルで送出するＭＩＢの中には、ユーザ装置ＵＥが当該セルにアクセスできないことを示す情報（ｂａｒｒｅｄ）が含まれる。
【００２６】
図８に、第１の実施の形態における通信システムの動作例１を示す。図８は、ユーザ装置ＵＥの電源ＯＮ時等におけるセルサーチ動作を示すものであり、図８において、基地局ｅＮＢでは、ＲＲＨを用いて「ＴＤＤ  ＤＬ  ｏｎｌｙ」セルを形成しており、基地局ｅＮＢから送信される信号は「ＴＤＤ  ＤＬ  ｏｎｌｙ」セルの信号である。また、図８において基地局ｅＮＢから送信される各信号は、周期的に送信されるものであるが、図８では、ユーザ装置ＵＥの受信動作に着目した信号の流れを示している。
【００２７】
ステップ１０１において、ユーザ装置ＵＥは基地局ｅＮＢから同期信号（ＰＳＳ／ＳＳＳ）を受信することで、タイミング等の同期をとるとともにセルＩＤ（ＰＣＩ）を取得する。同期信号により同期がとれたセルに対して、ユーザ装置ＵＥは、基地局ｅＮＢから送信される参照信号を受信し、受信電力の測定を行う（ステップ１０２）。参照信号にはＰＣＩと１対１に対応したコードが用いられており、そのコードで相関をとることによって他セルと分離できる。ステップ１０１、１０２は、複数セルにおいてなされる可能性があるが、図８では、「ＴＤＤ  ＤＬ  ｏｎｌｙ」セルについてのみ示している。
【００２８】
ステップ１０３では、参照信号の受信電力が最も高いセル（ベストセル）を選択する。図８の例では、「ＴＤＤ  ＤＬ  ｏｎｌｙ」セルが選択されている。ステップ１０４では、ユーザ装置ＵＥは、当該セルにおいてＰＢＣＨで送信されるＭＩＢを受信する。ＭＩＢには、ＤＬシステム帯域幅、送信アンテナ数、ＳＦＮ（Ｓｙｓｔｅｍ  Ｆｒａｍｅ  Ｎｕｍｂｅｒ）等が含まれるが、本実施の形態では、これらの他に、当該セルにアクセスできるか否かを示す情報（ｂａｒｒｅｄ  ｉｎｄｉｃａｔｉｏｎ）が含まれる。つまり、基地局ｅＮＢは、ＭＩＢの中にｂａｒｒｅｄ  ｉｎｄｉｃａｔｉｏｎを含めて当該ＭＩＢを送信する。
【００２９】
ｂａｒｒｅｄ  ｉｎｄｉｃａｔｉｏｎを含まないＭＩＢを受信した場合における通常の動作であれば、ユーザ装置ＵＥはＳＩＢ１（Ｓｙｓｔｅｍ  Ｉｎｆｏｒｍａｔｉｏｎ  Ｂｌｏｃｋ  Ｔｙｐｅ１）を受信し、ＳＩＢ１に基づいて、ベストセルとして選択した当該セルがｃａｍｐできるセルであるかどうかを所定の評価基準に基づき判断する。判断の結果、ｃａｍｐできないセルであり、ＳＩＢ１の中のｉｎｔｒａＦｒｅｑＲｅｓｅｌｅｃｔｉｏｎにより同周波数の他セルの選択が許容（ａｌｌｏｗｅｄ）されていれば、同周波数の他セルの選択処理を実施する。
【００３０】
一方、本実施の形態では、図８のステップ１０４で受信したＭＩＢにより、ユーザ装置ＵＥは、「ＴＤＤ  ＤＬ  ｏｎｌｙ」セルがｂａｒｒｅｄセル（ｃａｍｐできないセル）であることを検知し、ＳＩＢ１を読まずに他の周波数（周波数帯、もしくは周波数バンドと言い換えてもよい）のセルの選択を試みる（ステップ１０５）。ＳＩＢ１を読まないため、ｉｎｔｒａＦｒｅｑＲｅｓｅｌｅｃｔｉｏｎにより、同周波数の他セルの選択が許容されていると判断できないため、他の周波数のセルを選択の対象とするのである。もしくは、ユーザ装置ＵＥは、ｂａｒｒｅｄを検知した時点で、ｉｎｔｒａＦｒｅｑＲｅｓｅｌｅｃｔｉｏｎによる判断を行わずに、他の周波数のセルの選択を試みてもよい。他の周波数のセルの選択を試みるとは、例えば、他の周波数の同期信号の受信を行って、受信電力の測定を行い、最良のセルを選択することを含む。
【００３１】
図９を参照して、本実施の形態におけるＭＩＢの例を説明する。図９（ａ）は従来のＭＩＢを示し、図９（ｂ）は本実施の形態におけるＭＩＢの例を示す。下線は着目する情報を分かり易く示すためのものである。図９（ｂ）に示すとおり、「ａｃｃｅｓｓＩｎｆｏ」が追加されている。「ａｃｃｅｓｓＩｎｆｏ」の説明は図９（ｃ）に示されるとおりであり、図９（ｃ）の記述のとおり、「ａｃｃｅｓｓＩｎｆｏ」は、「ＵＥが当該セルにアクセスできるか否かを規定する」ものであり、「第１ビットにおける値１は、当該セルへのアクセスが禁止されていることを示す」のである。このように、ｂａｒｒｅｄであることは、例えば１ビットで表すことができる。
【００３２】
上記の例では、ＭＩＢにｂａｒｒｅｄ情報を含めることとしているが、ｂａｒｒｅｄ情報に代えて、対象セル（ＭＩＢが送信されるセル）が「ＴＤＤ  ＤＬ  ｏｎｌｙ」セルであることを示す情報（「ＴＤＤ  ＤＬ  ｏｎｌｙ」セル情報と呼ぶ）を含めてもよい。「ＴＤＤ  ＤＬ  ｏｎｌｙ」セル情報を含むＭＩＢを受信したユーザ装置ＵＥは、ｂａｒｒｅｄ情報の場合と同様にして、当該セルがｃａｍｐできないセルであることを検知し、ＳＩＢ１を読まずに他の周波数（周波数帯、もしくは周波数バンドと言い換えてもよい）のセルの選択を試みる動作を行う。
【００３３】
上記の例では、ＭＩＢにｂａｒｒｅｄの情報もしくは「ＴＤＤ  ＤＬ  ｏｎｌｙ」セル情報を含めることとしているが、このようなＭＩＢへの変更を行うことなく、ユーザ装置ＵＥに「ＴＤＤ  ＤＬ  ｏｎｌｙ」セルへのｃａｍｐをさせないことも可能である。この場合の例を動作例２として図１０を参照して説明する。
【００３４】
図１０において、ステップ１０１〜１０３は、図８の場合と同じである。図１０のステップ１０４では、基地局ｅＮＢは、ｂａｒｒｅｄ  ｉｎｄｉｃａｔｉｏｎを含まないＭＩＢを送信し、ユーザ装置ＵＥは当該ＭＩＢを受信する。しかし、動作例２では、基地局ｅＮＢは、「ＴＤＤ  ＤＬ  ｏｎｌｙ」セルにおいてＳＩＢ１を送信しない。ユーザ装置ＵＥは、ＳＩＢ１を受信しないので、ｉｎｔｒａＦｒｅｑＲｅｓｅｌｅｃｔｉｏｎにより、同周波数の他セルの選択が許容されていると判断できないため、他の周波数のセル選択を試みる（ステップ１０５）。なお、ユーザ装置ＵＥは、ＳＩＢ１を受信しないことを検知した時点で、ｉｎｔｒａＦｒｅｑＲｅｓｅｌｅｃｔｉｏｎによる判断を行わずに、他の周波数のセルの選択を試みてもよい。また、基地局ｅＮＢは、「ＴＤＤ  ＤＬ  ｏｎｌｙ」以外のセルにおいてはＳＩＢ１を送信する。
【００３５】
（第２の実施の形態）
図１１、１２は、第２の実施の形態における処理の概要を説明するための図である。図１１に示すように、第２の実施の形態では、ユーザ装置ＵＥが、既にセル１（ＦＤＤ又はＴＤＤのＵＬ／ＤＬのセル）にｃａｍｐしている状態において、ユーザ装置ＵＥに対し、セル１に代えて、「ＴＤＤ  ＤＬ  ｏｎｌｙ」セルであるセル２（セル１の周波数と異なる周波数）を選択させる（ｃａｍｐさせる）ことを回避する。そのために、ｃａｍｐしているセル１において送信するＳＩＢ５（Ｓｙｓｔｅｍ  Ｉｎｆｏｒｍａｔｉｏｎ  Ｂｌｏｃｋ  Ｔｙｐｅ５）の中に、セル２の周波数のセルを選択の対象としないことを指示する情報を含めることとしている。
【００３６】
ＳＩＢ５には、測定の対象とする周辺の異周波数（Ｉｎｔｅｒ  ｆｒｅｑｕｅｎｃｙ）の情報等が含まれているが、本実施の形態では、これらに加えて、セル２の周波数のセルを選択の対象としないことを指示する情報が含まれている。当該情報は、排除する周波数のリストになるので、「周波数ブラックリスト」と称してもよい。
【００３７】
図１２を参照して、第２の実施の形態における処理の概要をより具体的に説明する。図１２の例では、基地局ｅＮＢ１が、セル１（ＦＤＤ又はＴＤＤ  ＵＬ／ＤＬ）を形成し、ユーザ装置ＵＥ１は、当該セル１にｃａｍｐしている。また、隣接するセルとして、基地局ｅＮＢ２（及びＲＲＨ）が、セル２（ＴＤＤ  ＤＬ  ｏｎｌｙ）とセル３（ＦＤＤ又はＴＤＤ  ＵＬ／ＤＬ）を形成し、ユーザ装置ＵＥ２は、セル２（ＳＣｅｌｌ）とセル３（ＰＣｅｌｌ）によりＣＡを実施している。
【００３８】
このとき、ユーザ装置ＵＥ１は、基地局ｅＮＢ１から、セル２の周波数のセルを選択の対象としないことを指示する情報を含むＳＩＢ５を受信する。ここで、あるセル（サービングセル）にｃａｍｐしているユーザ装置の通常の動作としては、当該セルの受信電力が所定値以下となった場合等に、ＳＩＢ５の情報に基づいて、周辺の異周波数のセルの測定を行って、現在のセルに代えて当該セルを選択する（ｃａｍｐする）ことを試みる動作がある。
【００３９】
一方、本実施の形態では、ＳＩＢ５により、セル２の周波数は選択の対象から除外されるため、当該ＳＩＢ５を受信したユーザ装置ＵＥ１は、周辺セルの測定の際に、「ＴＤＤ  ＤＬ  ｏｎｌｙ」で使用される周波数の測定を行わない。よって、ユーザ装置ＵＥ１が「ＴＤＤ  ＤＬ  ｏｎｌｙ」セルにｃａｍｐすることを排除できる。
【００４０】
また、図１２の例において、基地局ｅＮＢ２も、「ＴＤＤ  ＤＬ  ｏｎｌｙ」セルの周波数へのｃａｍｐを排除する周波数ブラックリストを含むＳＩＢ５を送信しており、当該ＳＩＢ５を受信したユーザ装置ＵＥ２は、「ＴＤＤ  ＤＬ  ｏｎｌｙ」セルをＰＣｅｌｌとして使用することを回避する。
【００４１】
図１３は、第２の実施の形態における通信システムの動作例を示すシーケンス図である。図１３において、ユーザ装置ＵＥは、基地局ｅＮＢ−Ａのセルにｃａｍｐしており、基地局ｅＮＢ−ＡからＳＩＢ５を受信する（ステップ２０１）。当該ＳＩＢ５には周波数ブラックリストが含まれている。
【００４２】
ここで、ユーザ装置ＵＥにおいて、基地局ｅＮＢ−Ａのセルの受信電力が閾値より低下する等により、異周波数の周辺セルのサーチ（同期信号受信、受信電力測定等）が開始されたとする。「ＴＤＤ  ＤＬ  ｏｎｌｙ」セルを形成する基地局ｅＮＢ−Ｃは、当該セルにおいて、同期信号や参照信号を送信しているが、ユーザ装置ＵＥは、周波数ブラックリストにより、「ＴＤＤ  ＤＬ  ｏｎｌｙ」セルの周波数を測定（サーチ）の対象としないと決定しているため、ステップ２０２において、ユーザ装置ＵＥは、「ＴＤＤ  ＤＬ  ｏｎｌｙ」セルの測定を行わない。
【００４３】
一方、基地局ｅＮＢ−Ｂは、周波数ブラックリストにない周波数のキャリアでセルを形成しており、ユーザ装置ＵＥは当該セルの測定を実施する（ステップ２０３）。これにより、所定の条件を満たせば、ユーザ装置ＵＥは、現在のセルに代えて、基地局ｅＮＢ−Ｂのセルにｃａｍｐする。
【００４４】
図１４に、本実施の形態におけるＳＩＢ５（ＳｙｓｔｅｍＩｎｆｏｒｍａｔｉｏｎＢｌｏｃｋＴｙｐｅ５  ｉｎｆｏｒｍａｔｉｏｎ  ｅｌｅｍｅｎｔ）の例を示す。図１４において、下線を引いた部分が従来のＳＩＢ５と異なる。図１４に示すとおり、「ｉｎｔｅｒＦｒｅｑＣａｒｒｉｅｒＢｌａｃｋＬｉｓｔ」が追加されている。図１４に示すＡＲＦＣＮは、周波数の識別番号である。また、図１５には、「ｉｎｔｅｒＦｒｅｑＣａｒｒｉｅｒＢｌａｃｋＬｉｓｔ」の説明が記載されている。
【００４５】
（装置構成）
＜ユーザ装置ＵＥ＞
図１６に、本発明の実施の形態（第１、第２の実施の形態）におけるユーザ装置ＵＥの機能構成図を示す。図１６に示すように、ユーザ装置ＵＥは、ＤＬ信号受信部１０１、ＵＬ信号送信部１０２、セル選択制御部１０３、ＣＡ制御部１０５を備える。なお、図１６は、ユーザ装置ＵＥにおいて本発明に特に関連する機能部のみを示すものであり、ユーザ装置ＵＥは、少なくともＬＴＥに準拠した動作を行うための図示しない機能も有するものである。
【００４６】
ＤＬ信号受信部１０１は、基地局ｅＮＢから各種の下り信号を受信し、受信した物理レイヤの信号からより上位のレイヤの情報を取得する機能を含み、ＵＬ信号送信部１０２は、ユーザ装置ＵＥから送信されるべき上位のレイヤの情報から、物理レイヤの各種信号を生成し、基地局ｅＮＢに対して送信する機能を含む。また、ＤＬ信号受信部１０１及びＵＬ信号送信部１０２は、複数のＣＣを利用したＣＡにより通信を行う機能も備えている。
【００４７】
ＣＡ制御部１０４は、ＣＡを構成しているＰＣｅｌｌ（ＰＣＣ）、ＳＣｅｌｌ（ＳＣＣ）の管理や、基地局ｅＮＢからの指示に基づくＳＣｅｌｌの追加／削除、Ａｃｔｉｖａｔｉｏｎ／Ｄｅａｃｔｉｖａｔｉｏｎ等のユーザ装置ＵＥにおけるＣＡに関する制御を行う。
【００４８】
セル選択制御部１０３は、第１及び第２の実施の形態で説明したセル選択に係る制御を実施する。例えば、第１の実施の形態における動作例１の場合において、セル選択制御部１０３は、基地局ｅＮＢから受信したＭＩＢに含まれるＢａｒｒｅｄ  ｉｎｄｉｃａｔｉｏｎもしくは「ＴＤＤ  ＤＬ  ｏｎｌｙ」セル情報をチェックし、Ｂａｒｒｅｄであることが示されていた場合（例：所定ビットが１である等）、もしくは「ＴＤＤ  ＤＬ  ｏｎｌｙ」セル情報により、「ＴＤＤ  ＤＬ  ｏｎｌｙ」セルであることが示されていた場合に、当該ＭＩＢに係るセルはｃａｍｐできないセルであると判断し、当該セルの周波数とは別の周波数のセルの選択を試みる。また、第１の実施の形態における動作例２においては、セル選択制御部１０３は、セルサーチによりｃａｍｐ候補のセルを見つけ、ＭＩＢを受信するが、ＳＩＢ１を受信しない場合に、当該セルをｂａｒｒｅｄとみなし、当該セルはｃａｍｐできないセルであると判断し、当該セルの周波数とは別の周波数のセルの選択を試みる。なお、ＳＩＢ１を受信しないことの判断に関し、所定の期間待ってもＳＩＢ１を受信しない場合に、ＳＩＢ１を受信しないと判断することができる。
【００４９】
また、第２の実施の形態において、セル選択制御部１０３は、基地局ｅＮＢから受信するＳＩＢ５に含まれる周波数ブラックリストに載せられている周波数を確認し、当該周波数を異周波数（ｉｎｔｅｒ  ｆｒｅｑｕｅｎｃｙ）セルの選択候補から除外する。選択候補から除外するとは、当該周波数のセルの同期信号のサーチを行わないこと、同期信号はサーチするが、受信電力を測定しないこと、受信電力を測定するが、選択はしないこと、のいずれであってもよい。
【００５０】
＜基地局ｅＮＢ＞
図１７に、本発明の実施の形態（第１、第２の実施の形態）における基地局ｅＮＢの機能構成図を示す。図１７に示すように、基地局ｅＮＢは、ＤＬ信号送信部２０１、ＵＬ信号受信部２０２、システム情報送信制御部２０３、ＣＡ制御部２０４を有する。なお、図１７は、基地局ｅＮＢにおいて本発明の実施の形態に特に関連する機能部のみを示すものであり、基地局ｅＮＢは、少なくともＬＴＥ方式に準拠した動作を行うための図示しない機能も有するものである。
【００５１】
ＤＬ信号送信部２０１は、基地局ｅＮＢから送信されるべき上位のレイヤの情報から、物理レイヤの各種信号を生成し、送信する機能を含む。ＵＬ信号受信部２０２は、ユーザ装置ＵＥから各種の上り信号を受信し、受信した物理レイヤの信号からより上位のレイヤの情報を取得する機能を含む。また、ＤＬ信号送信部２０１及びＵＬ信号受信部２０２は、複数のＣＣを利用したＣＡにより通信を行う機能も備えている。特に、ＤＬ信号送信部２０１は、「ＴＤＤ  ＤＬ  ｏｎｌｙ」のｃｏｎｆｉｇｕｒａｔｉｏｎ（例：図５のＳＣＣ）によるＤＬ通信を行うことが可能である。
【００５２】
ＣＡ制御部２０４は、ユーザ装置ＵＥ毎に、ＣＡを構成しているＰＣｅｌｌ（ＰＣＣ）、ＳＣｅｌｌ（ＳＣＣ）の管理や、ＳＣｅｌｌの追加／削除、Ａｃｔｉｖａｔｉｏｎ／Ｄｅａｃｔｉｖａｔｉｏｎ等のＣＡに関する制御を行う。
【００５３】
システム情報送信制御部２０３は、第１及び第２の実施の形態で説明したシステム情報（ＭＩＢ、ＳＩＢ）の送信制御を実施する。
【００５４】
例えば、第１の実施の形態における動作例１において、システム情報送信制御部２０３は、「ＴＤＤ  ＤＬ  ｏｎｌｙ」のＣＣ（セル）で、Ｂａｒｒｅｄ  ｉｎｄｉｃａｔｉｏｎもしくは「ＴＤＤ  ＤＬ  ｏｎｌｙ」セル情報を含むＭＩＢをＤＬ信号送信部２０１を介して送信する。また、第１の実施の形態における動作例２において、システム情報送信制御部２０３は、「ＴＤＤ  ＤＬ  ｏｎｌｙ」のＣＣ（セル）ではＳＩＢ１を送信しない。これらの動作は、例えば、ＣＡ制御部２０４が、「ＴＤＤ  ＤＬ  ｏｎｌｙ」セルを設定したことをシステム情報送信制御部２０３に通知し、当該通知に基づいて、システム情報送信制御部２０３が上記ＭＩＢの送信制御、ＳＩＢ１を送信しない制御等を実施する。
【００５５】
また、第２の実施の形態では、システム情報送信制御部２０３は、「ＴＤＤ  ＤＬ  ｏｎｌｙ」ではない通常のセル（例：ＦＤＤ又はＴＤＤのＤＬ／ＵＬからなるセル）において、「ＴＤＤ  ＤＬ  ｏｎｌｙ」の周波数を設定した周波数ブラックリストを含むＳＩＢ５をＤＬ信号送信部２０１を介して送信する。
【００５６】
なお、基地局ｅＮＢとユーザ装置ＵＥを備える通信システムの機能構成は、上記の基地局ｅＮＢとユーザ装置ＵＥとからなる構成に限られるわけではなく、本実施の形態で説明した処理を実現できるいかなる構成を採用してもよい。例えば、当該通信システムは、下り専用の時分割複信方式のキャリアを用いたキャリアアグリゲーションをサポートする移動通信システムにおいて使用される基地局とユーザ装置とを備える通信システムであって、前記基地局は、下り専用の時分割複信方式のセルにおいて、所定の情報を含むシステム情報を報知するシステム情報送信手段を備え、前記ユーザ装置は、前記システム情報を受信し、前記所定の情報に基づいて、前記セルの周波数と異なる周波数のセルの選択を試みるセル選択制御手段を備える通信システムとして構成される。この構成により、下り専用の時分割複信方式のキャリアを用いたキャリアアグリゲーションをサポートする移動通信システムにおいて、ユーザ装置を下り専用の時分割複信方式のセルに在圏させることを回避することができる。
【００５７】
前記システム情報は、例えばＭＩＢであり、前記所定の情報は、前記下り専用の時分割複信方式のセルへの在圏が禁止されていることを示す情報である。また、前記所定の情報は、当該ＭＩＢが送信されるセルが、下り専用の時分割複信方式のセルであることを示す情報であってもよい。これらの構成では、ＭＩＢを使用するため、セル選択処理の初期の段階で、下り専用の時分割複信方式のセルへの在圏を回避でき、ユーザ装置に、効率的に他周波数セルの選択をさせることができる。
【００５８】
また、本実施の形態の通信システムは、下り専用の時分割複信方式のキャリアを用いたキャリアアグリゲーションをサポートする移動通信システムにおいて使用される基地局とユーザ装置とを備える通信システムであって、前記基地局は、下り専用の時分割複信方式のセルにおいて、当該下り専用の時分割複信方式以外の複信方式のセルで報知する所定のシステム情報を報知しないように制御を行うシステム情報送信制御手段を備え、前記ユーザ装置は、前記下り専用の時分割複信方式のセルにおいてＭＩＢを受信した後に、前記所定のシステム情報を受信しないことに基づいて、前記下り専用の時分割複信方式のセルの周波数と異なる周波数のセルの選択を試みるセル選択制御手段を備える通信システムとして構成してもよい。この構成により、下り専用の時分割複信方式のキャリアを用いたキャリアアグリゲーションをサポートする移動通信システムにおいて、ユーザ装置を下り専用の時分割複信方式のセルに在圏させることを回避することができる。
【００５９】
前記所定のシステム情報は、例えばＳＩＢ１である。この構成では、下り専用の時分割複信方式のセルにおいて、ＳＩＢ１を送信しないようにするだけでよいので、実現が容易であるという利点がある。
【００６０】
また、本実施の形態の通信システムは、下り専用の時分割複信方式のキャリアを用いたキャリアアグリゲーションをサポートする移動通信システムにおいて使用される基地局とユーザ装置とを備える通信システムであって、前記基地局は、前記ユーザ装置の在圏するセルにおいて、所定の情報を含むシステム情報を報知するシステム情報送信手段を備え、前記ユーザ装置は、前記システム情報を受信し、前記セルの周波数と異なる周波数の周辺セルの選択を行う場合において、前記所定の情報に含まれる周波数の周辺セルを選択の対象としないセル選択制御手段を備える通信システムとして構成することもできる。この構成により、下り専用の時分割複信方式のキャリアを用いたキャリアアグリゲーションをサポートする移動通信システムにおいて、ユーザ装置を下り専用の時分割複信方式のセルに在圏させることを回避することができる。
【００６１】
前記システム情報は、例えばＳＩＢ５であり、前記所定の情報は、前記ユーザ装置の在圏するセルの周波数と異なる周波数のブラックリストである。このように周波数のブラックリストを使用するので、基地局ｅＮＢは、ユーザ装置にアクセスさせたくない周波数を柔軟に指定することができる。
【００６２】
本実施の形態で説明するユーザ装置／基地局の機能構成は、ＣＰＵとメモリを備えるユーザ装置／基地局において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００６３】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００６４】
ｅＮＢ  基地局
ＵＥ  ユーザ装置
１０１  ＤＬ信号受信部
１０２  ＵＬ信号送信部
１０３  セル選択制御部
１０４  ＣＡ制御部
２０１  ＤＬ信号送信部
２０２  ＵＬ信号受信部
２０３  システム情報送信制御部
２０４  ＣＡ制御部
【図３】
2015216471.tif 000003
【図４】
2015216471.tif 000004
【図５】
2015216471.tif 000005
【図６】
2015216471.tif 000006
【図７】
2015216471.tif 000007
【図８】
2015216471.tif 000008
【図９】
2015216471.tif 000009
【図１０】
2015216471.tif 000010
【図１１】
2015216471.tif 000011
【図１２】
2015216471.tif 000012
【図１３】
2015216471.tif 000013
【図１４】
2015216471.tif 000014
【図１５】
2015216471.tif 000015
【図１６】
2015216471.tif 000016
【図１７】
2015216471.tif 000017
【図１】
2015216471.tif 000018
【図２】
2015216471.tif 000019